(57)【要約】【課題】マウントアダプターをカメラボディから取り外したときのシャッターの損傷を未然に防止することを可能にしたマウントアダプターとカメラシステムを提供する。【解決手段】カメラボディ２に設けられた第１方式のレンズマウント２５に装着可能な第１のレンズマウント部１３と、第２方式のレンズマウント３５を有する交換レンズ３を装着可能な第２のレンズマウント部１４とを備えるマウントアダプター１であって、マウントアダプター１の内部開口を開閉動作可能なシャッター機構１１を備え、当該シャッター機構１１はマウントアダプター１をカメラボディ２に装着した状態およびカメラボディ２から取り外した状態において内部開口を半開状態に保持することが可能な構成とする。【選択図】  図２
2014052605.tif 000002
【特許請求の範囲】
【請求項１】
カメラボディに設けられた第１方式のレンズマウントに装着可能な第１のレンズマウント部と、第２方式のレンズマウントを有する交換レンズを装着可能な第２のレンズマウント部とを備えるマウントアダプターであって、当該マウントアダプターの内部開口を開閉動作可能な遮光手段を備え、当該遮光手段は前記内部開口の少なくとも一部を開口した状態に保持することが可能であることを特徴とするマウントアダプター。
【請求項２】
前記遮光手段はシャッター機構であり、前記内部開口を開閉するためのシャッター羽根部と、このシャッター羽根部を駆動するためのシャッター駆動部とを備え、このシャッター駆動部は前記シャッター羽根部を全閉状態から全開状態の間の任意の開口状態に駆動させるとともに、その開口状態を保持できるように構成していることを特徴とする請求項１に記載のマウントアダプター。
【請求項３】
前記シャッター駆動部は、前記シャッター羽根部を全閉状態から全開状態に駆動するチャージ手段と、前記チャージ手段のチャージ状態を解除して前記シャッター羽根部を全閉状態に復帰させるためのチャージ解除手段とを備え、前記チャージ手段はチャージ途中においてチャージ動作を停止することが可能に構成されていることを特徴とする請求項２に記載のマウントアダプター。
【請求項４】
前記チャージ手段は、前記シャッター羽根を開閉駆動させる羽根駆動リングと、前記羽根駆動リングをシャッター全閉方向に付勢する駆動バネと、通電により回転駆動されるチャージモータと、このチャージモータの回転力によって前記羽根駆動リングをシャッター全開方向に駆動するチャージリングと、このチャージリングを全閉方向に復動させるための付勢力を有するチャージリング戻りバネと、前記羽根駆動リングをシャッター全開位置に係止するための係止手段を備え、前記チャージ解除手段は前記係止手段による前記羽根駆動リングの係止を解除してシャッター全閉方向への駆動を解除するプランジャ手段を備えることを特徴とする請求項３に記載のマウントアダプター。
【請求項５】
前記チャージ手段は、前記チャージモータによって回転駆動され一部にカムを有するカムギアと、前記チャージリングに設けられ前記カムに係合して当該チャージリング自身をシャッター全開方向に駆動する従動片と、前記羽根駆動リングに設けられ前記従動片に当接されて当該羽根駆動リングをシャッター全開方向に駆動する係止軸と、シャッター全開位置において前記係止軸を係止し前記プランジャ手段によって駆動されたときに前記係止軸の係止を開放する係止爪板とを備えることを特徴とする請求項４に記載のマウントアダプター。
【請求項６】
前記シャッター駆動部は、前記チャージリングの駆動位置を検知する少なくとも１つの位置検知手段と、この位置検知手段の検知出力に基づいて前記チャージ手段の駆動停止位置を制御する制御手段を備えることを特徴とする請求項４または５に記載のマウントアダプター。
【請求項７】
前記制御手段は、前記チャージリングのチャージ途中の停止位置を制御することを特徴とする請求項６に記載のマウントアダプター。
【請求項８】
前記制御手段は、前記位置検知手段において前記チャージリングの所定位置が検知されてから所定の時間の経過後に前記チャージモータの回転を停止させる制御を行うことを特徴とする請求項７に記載のマウントアダプター。
【請求項９】
請求項１ないし請求項８のいずれかに記載のマウントアダプターを備え、当該マウントアダプターを前記カメラボディに装着したときに、前記カメラボディから出力される電気信号に基づいて前記遮光手段が当該マウントアダプターの内部開口の少なくとも一部を開口した状態に保持することが可能であることを特徴とするカメラシステム。
【請求項１０】
請求項１ないし請求項８のいずれかに記載のマウントアダプターを備え、当該マウントアダプターを前記カメラボディに装着し、前記カメラボディのシャッターボタンを操作したときに前記遮光手段を全開状態から全閉状態に駆動し、前記カメラボディのメインスイッチをＯＦＦしたときに前記遮光手段を一部を開口した状態に駆動することを特徴とするカメラシステム。
【発明の詳細な説明】
【技術分野】
【０００１】
本発明はマウント方式の異なるレンズをカメラボディに装着するためのマウントアダプターと、当該マウントアダプターを備えるカメラシステムに関するものである。
【背景技術】
【０００２】
レンズ交換式のカメラでは、マウント方式の異なるレンズをカメラボディに装着するためのマウントアダプターが設けられる。例えば、特許文献１ではイメージサークルの異なる交換レンズをカメラボディに装着して適切な撮影を行うことを可能とするために、マウントアダプターにワイドコンバージョン光学系を配置する技術が提案されている。このようなマウントアダプターを利用することにより、近年の小型化されてレンズマウントが小型化されたミラーレス方式のデジタルカメラに対しても従前の大きなレンズマウントを有する交換レンズを利用して撮影を行うことが可能になる。
【０００３】
ところで、ミラーレス方式のデジタルカメラとして、交換レンズ側に設けた機械式シャッターを利用して撮影するが、シャッターを備えていない交換レンズを装着したとき、あるいは交換レンズに備えられているシャッターをカメラボディ側に連動して駆動することができないようなときにカメラボディの撮像素子における電子シャッターを利用して撮影を行う方式のものが提案されている。そのため、電子シャッターでの撮影時に高速に移動する被写体が歪曲した状態で撮像されてしまうという、いわゆるコンニャク現象が問題となっている。そこで本出願人は、マウントアダプターに遮光手段としてシャッターを内蔵し、交換レンズのシャッターを利用して撮影できないときにマウントアダプターに設けたシャッターを利用して撮影を行うことを提案した。
【先行技術文献】
【特許文献】
【０００４】
【特許文献１】特開２０１０−２８３２８号公報
【発明の概要】
【発明が解決しようとする課題】
【０００５】
このシャッターとして、従来のレンズに設けられているレンズシャッターをそのまま適用することが考えられるが、この種のシャッターはその機構上の理由によって、常態で全閉または全開のいずれかの状態にある。そのため、マウントアダプターをカメラボディに装着した状態、あるいはマウントアダプターをカメラボディから取り外した状態のときにもシャッターは全閉あるいは全開の状態となる。したがって、マウントアダプターをカメラボディから取り外した状態のときにシャッターが全閉であると、露呈されているシャッターのシャッター羽根に接触したとき、あるいは風圧等によってシャッター羽根に応力が加えられると、この応力によってシャッター羽根が変形され、あるいはシャッター羽根が正常位置から移動されてしまい、その後におけるシャッターの正常動作が阻害されることがある。
【０００６】
本発明の目的はこのような遮光手段としてのシャッターの損傷を未然に防止することを可能にしたマウントアダプターを提供するものである。また、本発明はかかるマウントアダプターを備えるカメラシステムを提供するものである。
【課題を解決するための手段】
【０００７】
本発明のマウントアダプターは、カメラボディに設けられた第１方式のレンズマウントに装着可能な第１のレンズマウント部と、第２方式のレンズマウントを有する交換レンズを装着可能な第２のレンズマウント部とを備えるマウントアダプターであって、当該マウントアダプターの内部開口を開閉動作可能な遮光手段を備え、当該遮光手段は内部開口の少なくとも一部を開口した状態に保持することが可能な構成である。この遮光手段は例えばシャッター機構であり、内部開口を開閉するためのシャッター羽根部と、このシャッター羽根部を駆動するためのシャッター駆動部とを備え、シャッター駆動部はシャッター羽根部を全閉状態から全開状態の間の任意の開口状態に駆動させるとともに、その開口状態を保持できるように構成する。また、シャッター駆動部は、シャッター羽根部を全閉状態から全開状態に駆動するチャージ手段と、チャージ手段のチャージ状態を解除してシャッター羽根部を全閉状態に復帰させるためのチャージ解除手段とを備え、チャージ手段はチャージ途中においてチャージ動作を停止することが可能に構成される。
【０００８】
本発明においてチャージ手段は、例えば、シャッター羽根を開閉駆動させる羽根駆動リングと、羽根駆動リングをシャッター全閉方向に付勢する駆動バネと、通電により回転駆動されるチャージモータと、このチャージモータの回転力によって前記羽根駆動リングをシャッター全開方向に駆動するチャージリングと、このチャージリングを全閉方向に復動させるための付勢力を有するチャージリング戻りバネと、羽根駆動リングをシャッター全開位置に係止するための係止手段を備え、チャージ解除手段は係止手段による羽根駆動リングの係止を解除してシャッター全閉方向への駆動を解除するプランジャ手段を備える構成とする。
【０００９】
さらに、チャージ手段は、例えば、チャージモータによって回転駆動され一部にカムを有するカムギアと、チャージリングに設けられカムに係合して当該チャージリング自身をシャッター全開方向に駆動する従動片と、羽根駆動リングに設けられ従動片に当接されて当該羽根駆動リングをシャッター全開方向に駆動する係止軸と、シャッター全開位置において係止軸を係止しプランジャ手段によって駆動されたときに係止軸の係止を開放する係止爪板とを備える構成とする。
【００１０】
また、シャッター駆動部は、例えば、チャージリングの駆動位置を検知する少なくとも１つの位置検知手段と、この位置検知手段の検知出力に基づいてチャージ手段の駆動停止位置を制御する制御手段を備える。この制御手段は、チャージリングのチャージ途中の停止位置を制御する。例えば、制御手段は、位置検知手段においてチャージリングの所定位置が検知されてから所定の時間の経過後にチャージモータの回転を停止させる制御を行う構成とする。
【００１１】
本発明のカメラシステムは、前記した本発明のマウントアダプターを備え、当該マウントアダプターをカメラボディに装着したときに、カメラボディから出力される電気信号に基づいて遮光手段が当該マウントアダプターの内部開口の少なくとも一部を開口した状態に保持することが可能な構成である。例えば、本発明のマウントアダプターをカメラボディに装着し、カメラボディのシャッターボタンを操作したときに遮光手段を全開状態から全閉状態に駆動し、カメラボディのメインスイッチをＯＦＦしたときに遮光手段を一部を開口した状態に駆動する構成とする。
【発明の効果】
【００１２】
本発明によれば、マウントアダプターをカメラボディに装着した状態のときに遮光手段によりマウントアダプターの内部開口を一部開口した状態にしておくことにより、交換レンズを透過した光の一部が遮光されるものの、透過した光によりカメラボディでの被写体表示が可能になるので、通常の撮影に支障が生じることはなく、その一方で、マウントアダプターをカメラボディから取り外した状態のときにマウントアダプターの内部開口を遮光手段により一部開口した状態にしておくことにより、例えば遮光手段をシャッター機構で構成した場合には、当該半開した状態は全閉状態に比較してシャッター羽根が内部開口内に露呈する面積が少なくなり、シャッター羽根を保持する部材との重なり面積が大きくなるので、外力や風圧がシャッター羽根に加えられた場合でもシャッター羽根の変形や正常位置からの変動は少なく、シャッター羽根の損傷が少なくなり、シャッターの正常な動作が確保される。
きる。
【００１３】
また、本発明のカメラシステムによれば、カメラボディでの操作によってマウントアダプターの遮光手段、例えばシャッター機構を半開状態に設定できるので、マウントアダプターをカメラボディから取り外したときにも内部開口を半開状態に保持することができ、シャッター羽根の損傷を防止することが可能になる。
【図面の簡単な説明】
【００１４】
【図１】本発明のマウントアダプターを備えたカメラシステムの外観斜視図。
【図２】図１のカメラシステムのブロック構成図。
【図３】図１のマウントアダプターを後方側、前方側のそれぞれから見た斜視図。
【図４Ａ】図３（ａ）の部分分解斜視図。
【図４Ｂ】図３（ｂ）の部分分解斜視図。
【図５Ａ】シャッター機構の光軸と直交する方向の断面図（シャッター全閉）
【図５Ｂ】シャッター機構の光軸と直交する方向の断面図（シャッター半開）
【図５Ｃ】シャッター機構の光軸と直交する方向の断面図（シャッター全開）
【図６】シャッター機構の要部の動作を説明する模式的な斜視図。
【図７Ａ】シャッター全開（チャージ時）のタイミング図。
【図７Ｂ】シャッター全閉（シャッター時）のタイミング図
【図７Ｃ】シャッター半開のタイミング図。
【図８】シャッター羽根の重なり状態を説明する光軸と直交する方向の断面図。
【図９】シャッターを半開するためのマニュアル機構の光軸と直交する方向の断面図。
【発明を実施するための形態】
【００１５】
次に、本発明の実施の形態について図面を参照して説明する。図１は本発明のカメラシステムの外観斜視図であり、図２はそのブロック構成図である。このカメラシステムは、レンズ交換が可能なカメラボディ２と、このカメラボディ２のレンズマウントに取着されるマウントアダプター１と、このマウントアダプター１に取着される交換レンズ３とで構成されている。カメラボディ２はミラーレス方式のカメラとして構成されており、内部には撮像装置２１およびＣＰＵ等で構成される制御回路部２０が内装されている。また、カメラボディ２の外面上部には電源ボタン（メインスイッチ）２２、シャッターボタン２３、その他の操作部が配設され、外面の裏側にはモニター表示装置２４が配設されている。また、カメラボディの前面には径寸法の小さいバヨネット型のレンズマウント、ここではＬＱ方式のレンズマウントであるＬＱマウント２５が配設されている。このＬＱマウント２５には前記マウントアダプター１に電気接続される複数の電気接点部２６が配設されている。一方、前記交換レンズ３は前記カメラボディ２のＬＱマウント２５よりも大径のバヨネット型のＬＫ方式のレンズマウントであるＬＫマウント３５を有するレンズであり、結像光学系を構成するレンズ群３１、絞り３２を駆動制御する絞り機構３３、レンズ群３１を駆動制御するフォーカス機構３４が内装されている。これらカメラボディ２と交換レンズ３の構成は本発明との関係が少ないので詳細な説明については省略する。
【００１６】
前記マウントアダプター１は、前記カメラボディ２のＬＱマウント２５に装着されるＬＱマウント部１３と、前記交換レンズ３のＬＫマウント３５が装着されるＬＫマウント部１４を備えており、このマウントアダプター１を介して前記交換レンズ３を前記カメラボディ２に装着・離脱することが可能とされている。このマウントアダプター１には、当該マウントアダプターの内部開口を開閉することが可能な詳細を後述するシャッター機構１１と、このシャッター機構１１を制御するための制御手段としてのシャッター回路部１２が内装されている。
【００１７】
図３はこのマウントアダプターの外観斜視図であり、図３（ａ）はカメラボディに装着するＬＱマウント部１３側から見た図、図３（ｂ）は反対のＬＫマウント部１４側から見た図である。マウントアダプター１は、短円筒状をした筒体１０を備えており、この筒体１０の後側（カメラボディ側、以下同じ）の端部に前記ＬＱマウント部１３が設けられ、前側（交換レンズ側、以下同じ）の端部に前記ＬＫマウント部１４が設けられている。前記ＬＱマウント部１３には前記カメラボディ２の電気接点部２６に電気接続される複数の電気パッド部１５が設けられている。また、前記筒体１０の外周には交換レンズ３の絞り３２を操作する際に利用するローレット環からなる操作部１６と操作ボタン１７が配設されている。さらに、図３（ｂ）に示すように、前記筒体１０の内部にはシャッター機構１１が内装されており、前記筒体１０の筒軸方向に向けられた内部開口１０ａを当該シャッター機構１１によって開放ないし閉塞することが可能とされている。
【００１８】
図４Ａと図４Ｂは当該シャッター機構１１の部分分解斜視図であり、図４Ａは図３（ａ）と同様に後端部、すなわちＬＱマウント部側からみた図であり、図４Ｂは図３（ｂ）と同様に前端部、すなわちＬＫマウント部側から見た図である。これら図４Ａおよび図４Ｂにおいて、シャッター機構１１は、前記筒体１０の内部開口１０ａを開閉するシャッター羽根部４と、このシャッター羽根部４を開閉駆動するシャッター駆動部５とで構成されている。そして、シャッター駆動部５に設けられている制御手段としての前記シャッター回路部１２での制御によって前記シャッター羽根部４のシャッター羽根を開閉駆動させ、マウントアダプター１の内部開口１０ａを通過する光線を通過・遮光するシャッターとして機能するようになっている。
【００１９】
前記シャッター機構１１について、図４Ｂおよび筒軸と直交方向の断面図である図５Ａを主に参照して詳細に説明すると、前記シャッター駆動部５は前記マウントアダプター１の筒体１０に一体的に固定されている親板６を備えており、この親板６を主体に構築されている。この親板６は中心部に前記内部開口１０ａにつながる開口６ａを有する円環の板部材として構成されており、その周縁において前記筒体１０の内周面に固定されている。この親板６には当該開口６ａの内縁に沿って円環状のチャージリング６１が嵌装され、親板６に対して軸芯回りに回動可能とされている。このチャージリング６１は円周一部に外形方向に突出した扇型の従動片６１ａが一体形成されるとともに、チャージリング６１と親板６との間にはコイルバネからなるチャージリング戻りバネ６２が掛装されており、このチャージリング戻りバネ６２の付勢力によってチャージリング６１は図４Ｂの反時計方向に回動する習性が与えられている。
【００２０】
また、前記親板６の前面の円周一部にはチャージモータ６３が支持されており、このチャージモータ６３は駆動されたときに回転出力軸に取着されているウォーム６３ａを回転し、当該ウォーム６３ａに歯合する中継ギア６４を介してカムギア６５を図４Ｂの反時計回りに減速回転させる。このカムギア６５の後面の一部にはカム６５ａが後方に向けて突出形成されており、カムギア６５の回転に伴って当該カム６５ａは前記チャージリング６１の従動片６１ａの反時計方向側の縁部に当接されるようになっている。さらに、前記親板６の前面の他の円周一部には係止爪板６６とソレノイドプランジャ６７がそれぞれ支持されている。係止爪板６６は先端にフック部６６ａを有しており、親板６の前面に立設された支軸６６ｂの回りに小角度で回動可能に支持されている。この係止爪板６６は捩じりバネ６６ｃによって図４Ｂの反時計方向に付勢されるとともに、基端は前記ソレノイドプランジャ６７に連結されている。前記ソレノイドプランジャ６７は非通電のときにはプランジャ６７ａが埋没された状態にあり、前記捩じりバネ６６ｃの付勢力に抗して前記係止爪板６６を図４Ｂの時計方向に回動した位置に保持している。ソレノイドプランジャ６７は通電されたときにプランジャ６７ａが突出動作され、捩じりバネ６６ｃの付勢力に基づいて係止爪板６６を図４Ｂの反時計方向に回動させる。
【００２１】
さらに、前記親板６１の円周方向の異なる２箇所には、それぞれ第１と第２の検知スイッチ６８，６９が配設されている。図５Ａの右側位置に配設された第１検知スイッチ６８はフィラー６８ａが左右に傾動してＯＮ，ＯＦＦ動作する２つのスイッチ、すなわちａスイッチとｂスイッチを有する複合スイッチとして構成され、当該フィラー６８ａが前記チャージリング６１の円周一部に設けた一対の検出用突起６１ｂと係合し、この検出用突起６１ｂの回動位置に応じてａスイッチとｂスイッチが独立してＯＮ，ＯＦＦするようになっている。図５Ａの上側位置に配設された第２検知スイッチ６９は後述する羽根駆動リング７に設けた係止軸７１に係合してスイッチ動作される単一のスイッチとして構成されており、羽根駆動リング７の回動に伴ってＯＮ，ＯＦＦ動作される。なお、前記シャッター回路部１２は前記チャージモータ６３、ソレノイドプランジャ６７、第１及び第２の検知スイッチ６８，６９に接続されるとともに、前記ＬＱマウント部１３の電気パッド部１５に電気接続されて所定のシャッター動作を行う回路構成として構成されており、当該回路を構成する各種電子部品は概ね扇型をした回路基板１２ａに構築され、この回路基板１２ａが前記親板６の一部に支持されている。
【００２２】
前記親板６の後面側には円環板状をした羽根駆動リング７が親板６と同軸に配設されるとともに、当該親板６に対して筒軸回りに回動可能に支持されている。この羽根駆動リング７と親板６との間にはコイルバネからなる羽根駆動リングバネ７２が掛装されており、この羽根駆動リングバネ７２の付勢力によって羽根駆動リング７は図４Ｂの反時計方向に回動する習性が与えられている。羽根駆動リング７の前面の円周一部には細い円柱状をした係止軸７１が筒軸方向に立設されており、この係止軸７１は前記親板６を筒軸方向に貫通して親板６の前面側にまで進出され、前記チャージリング６１に設けた従動片６１ａの時計方向側の縁部に当接するように配置されている。
【００２３】
以上のシャッター駆動部５において、前記チャージリング６１、チャージモータ６３、カムギア６５、および羽根駆動リング７は本発明におけるチャージ手段を構成することになる。また、係止爪板６６、ソレノイドプランジャ６７、および羽根駆動リング７は本発明におけるチャージ解除手段を構成することになる。
【００２４】
前記シャッター羽根部４は前記羽根駆動リング７の後面側に配設され、前記筒体１０の内部に固定されている。このシャッター羽根部４は、中央に円形の開口８ａを有して円環板状に形成された羽根ベース８と、この羽根ベース８の後面側に対向配置されて開口９ａを有する円環板状をした羽根押さえ９を有しており、これら羽根ベース８と羽根押さえ９とは両者間に筒軸方向の微小間隙を有して一体化されている。前記羽根ベース８の開口８ａには短円筒状の袖部８１が設けられており、この袖部８１において前記親板６に連結されている。また、前記羽根押さえ９の後面には前記したＬＱマウント部１３が一体に設けられている。また、これら羽根ベース８と羽根押さえ９との間の微小間隙内には複数のシャッター羽根９１が内装されている。これら複数のシャッター羽根９１はここでは６枚の薄い羽根板で構成されており、各シャッター羽根９１の一部に開けた小穴９１ａを前記羽根ベース８の支持ピン８３に挿通させ、かつ各シャッター羽根９１に立設した駆動ピン９３を前記羽根ベース８に開けた円弧穴８２を挿通させて前記羽根駆動リング７に係合させている。この構成により６枚のシャッター羽根９１は羽根駆動リング７を筒軸回りに回動して駆動ピン９３を円周方向に移動させることによってそれぞれが支持ピン９２を支点にして回動され、前記内部開口１０ａに対する各シャッター羽根の位置が変化される。これにより、羽根駆動リング７を図４Ｂの反時計方向に回動したときに、各シャッター羽根９１は内部開口１０ａ内に進出して当該内部開口１０ａを閉塞する。また、羽根駆動リング７を図４Ｂの時計方向に回動したときに、各シャッター羽根９１は内部開口１０ａから後退して当該内部開口１０ａを開放する。
【００２５】
以上の構成のマウントアダプター１は、図１および図２に示したようにＬＫマウント部１４にＬＫマウント３５を有する交換レンズ３が取着され、マウントアダプター１はＬＱマウント部１３がカメラボディ２のＬＱマウント２５に取着される。特に、マウントアダプター１がカメラボディ２に取着されることにより、ＬＱマウント部１３の電気パッド部１５はカメラボディ２の電気接点部２６に電気接続され、この電気パッド部１５を介してマウントアダプター１内のシャッター回路部１２がカメラボディ２内の制御回路２０に電気接続されるとともに、前記したチャージモータ６３、ソレノイドプランジャ６７、第１および第２の検知スイッチ６８，６９が当該制御回路２０に電気接続され、当該マウントアダプター１のシャッター機構１１はカメラボディ２側での操作によってシャッター開閉駆動が制御されることになる。
【００２６】
このシャッター動作について説明する。図５Ａに示すように、シャッターチャージが行われる初期状態では、チャージモータ６３は所定の初期回動位置にあり、これによりカムギア６５のカム６５ａはチャージリング６１の従動片６１ａの反時計方向側の縁部の位置にある。そのため、チャージリング６１はチャージリング戻りバネ６２の付勢力によって反時計方向に回動された位置にあり、羽根駆動リング７も羽根駆動リングバネ７２の付勢力によって反時計方向に回動された位置ある。したがって、この羽根駆動リング７２の初期位置に対応してシャッター羽根部４の各シャッター羽根９１は内部開口１０ａ内に移動された位置にあって内部開口１０ａを閉塞し、シャッター全閉状態にある。
【００２７】
チャージモータ６３が通電されて駆動すると、図６（ａ）に模式図を示すように、カムギア６５は反時計方向に回動されるため、カム６５ａは鎖線で示す初期位置から反時計方向に回動して従動片６１ａの反時計方向側の縁部に当接し、さらに当該従動片６１ａの縁部を押圧するのでチャージリング６１は従動片６１ａによってチャージリング戻りバネ６２の付勢力に抗して時計方向に回動される。このチャージリング６１の回動に伴い、従動片６１ａの時計方向側の縁部に当接している羽根駆動リング７の係止軸７１が従動片６１ａと共に、すなわちチャージリング６１と共に一体的に時計方向に回動される。この羽根駆動リング７の回動によりシャッター羽根９１は内部開口１０ａを徐々に開放して行く。その途中でシャッターは図５Ｂのように半開となる。
【００２８】
そして、図５Ｃに示すように、係止軸７１が最大位置まで時計方向に回動された時点でシャッター羽根は内部開口を全開し、これと同時に図６（ｂ）のように係止軸７１は係止爪板６６のフック部６６ａに係止される。このとき係止軸７１は係止爪板６６を捩じりバネ６６ｃのバネ力によって反時計方向に微小回動させることでフック部６６ａを乗り越えて係止状態となる。そして、カムギア６５がさらに回動されて鎖線のようにカム６５ａが従動片６１ａの反時計方向側の縁部との当接から外れると、チャージリング６１はチャージリング戻りバネ６２の付勢力によって破線矢印のように反時計方向に回動され、初期位置に戻される。しかし、羽根駆動リング７は、係止軸７１が係止爪板６６のフック部６６ａでの係止によって反時計方向への移動が係止されるので、その係止位置に保持される。すなわち、シャッター羽根９１による内部開口１０ａの全閉状態が保持される。以上でチャージが完了される。
【００２９】
このときのタイミングを図７Ａに示すと、第２検知スイッチ６９はＯＦＦであり、第１検知スイッチ６８はａスイッチがＯＮである。例えば、カメラボディ２のメインスイッチ２２のＯＮに伴ってチャージモータ６３が駆動を開始され、チャージリング６１が時計方向に回動され始めると第１検知スイッチ６８のａスイッチがＯＦＦされる。さらにチャージリング６１が回動されると、第１検知スイッチ６８のｂスイッチがＯＮされる。そして、かかるチャージモータ６３の回動によって前記したように係止軸７１が係止爪板６６に係止され、シャッターは全開となる。この状態は第２検知スイッチ６９のＯＮにより検出される。チャージリング６１はさらに回動が継続されるので第１検知スイッチ６８のｂスイッチは再びＯＦＦとなる。このｂスイッチのＯＦＦを受けてチャージモータ６３への給電が停止され、チャージモータ６３は初期位置において停止される。また、これと共に前記したようにチャージリング６１は初期位置に戻されるのでその際には第１検知スイッチ６８のａスイッチとｂスイッチは以上と逆の動作が行われるが、ここではその際の図示は省略している。
【００３０】
この状態においてソレノイドプランジャ６７に通電されると、図５Ａに示したと同様に、プランジャ６７ａは突出動作され係止爪板６６は捩じりバネ６６ｃのバネ力によって反時計方向に小角度だけ回動される。これによりフック部６６ａによる係止軸７１の係止が解除され、羽根駆動リング７は羽根駆動リングバネ７２のバネ力によって反時計方向に回動され、初期位置にまで復帰される。これにより、シャッター羽根９１は内部開口１０ａを全閉状態とする。このときのタイミングは図７Ｂに示すように、カメラボディ２のシャッターボタン２３が押下されることによってソレノイドプランジャ６７に通電され、前記したように係止軸７１の係止が解除されて羽根駆動リング７が反時計方向に回動されると第２検知スイッチ６９はＯＦＦになる。チャージリング６１は初期位置に戻されているので、第１検知スイッチ６８のａスイッチとｂスイッチは動作されることはなく、それぞれ初期状態のＯＮ状態、ＯＦＦ状態にある。
【００３１】
以上のシャッター動作は、マウントアダプター１をカメラボディ２に装着した状態のときに、カメラボディ２の電源スイッチ（メインスイッチ）２２が最初にＯＮされたとき、あるいは前回撮影時でのシャッター動作が完了したときに前記したチャージ動作が行われる。すなわち、シャッター羽根は全開状態であり、交換レンズ３で結像する被写体像はマウントアダプター１の内部開口１０ａを透過されてカメラボディ２内の撮像装置２１により撮像される。そして、カメラボディ２のレリーズボタン２３が操作されると撮像装置２１により撮像が開始され、所定の時間が経過した時点でマウントアダプター１のシャッター機構１１に信号を送出してソレノイドプランジャ６７を動作させ、シャッターを全閉にする。これにより適正な露出での撮影が完了する。
【００３２】
ところで、このように撮影を行わない初期状態においてシャッターを全開にしておくと、前記したように交換レンズ３を透してカメラボディ２内に入射される外光が大光量でカメラボディ２内の撮像装置２１及びその近傍に集光され、撮像装置２１ないしその近傍領域に焼けつきや焦げつき等の焼損を生じさせてしまうおそれがある。また、マウントアダプター１をカメラボディ２から取り外した状態のときには、シャッター機構１１には動作のための電気信号が入力されずにチャージモータ６３は初期位置にありシャッターが全閉の状態にある。そのため、前記したように全閉状態にあってマウントアダプター１の内部開口１０ａから露呈されているシャッター羽根９１に接触したとき、あるいは風圧等によってシャッター羽根９１に応力が加えられると、この応力によってシャッター羽根９１が変形され、あるいはシャッター羽根９１が正常位置から移動されてしまい、その後におけるシャッターの正常動作が阻害されることがある。
【００３３】
本発明では、マウントアダプター１をカメラボディ２に装着した状態、およびカメラボディ２から取り外したときにはシャッターを部分開放、すなわち半開することが可能である。ここではマウントアダプター１をカメラボディ２に装着した状態でメインスイッチ２２をＯＦＦすると、カメラボディ１からは所定時間だけシャッター機構１１のチャージモータ６３に信号を送出する。チャージモータ６３は当該所定時間だけ回転駆動するが、このときカムギア６５の回転量はチャージリング６１がフルチャージしない回転量である。すなわち、カム６５ａがチャージリング６１の従動片６１ａを押圧して移動させるが係止軸７１が係止爪板６６のフック部６６ａに係止されることがない回転量である。これにより、シャッター機構１１はシャッター羽根９１が内部開口１０ａの全面積の一部のみを部分開放して半開とされる。
【００３４】
シャッターを半開にする動作のタイミングは図７Ｃに示すように、マウントアダプター１をカメラボディ２に装着した状態のときにカメラボディ２のメインスイッチ２２をＯＦＦすると、強制的にソレノイドプランジャ６７への通電が行われる。これにより、係止爪板６６による係止軸７１の係止が解除され、羽根駆動リング７は初期位置に戻され、シャッターは全閉状態となる。次いで、チャージモータ６３に対して強制的に通電が開始され、チャージリング６１が時計方向に回動が開始される。すなわち、図５Ａや図６を参照して説明したようにシャッター羽根を開く動作が開始される。チャージリング６１の当該回動により第１検知スイッチ６８のａスイッチがＯＦＦとなると、この時点から時間を計測し、所定の時間を経過した時点でチャージモータ６３への通電を停止する。そのため、チャージリング６１がチャージを完了する前の時点、すなわち係止軸７１が係止爪板６６に係止されてシャッターが全開となる前の時点で回動が停止され、シャッター羽根９１は半開の状態で停止されることになる。この状態はカムギア６５のカム６５ａと従動片６１ａとの当接と、チャージリング戻りバネ６２のバネ力との均衡によって保持されるので、チャージモータ６３への通電が停止されても維持されることになる。
【００３５】
このようにシャッターが半開して内部開口１０ａの一部を絞った状態にしたときには、交換レンズ３を透過した光の一部が遮光されるものの、透過した光が撮像装置２１において受光されるのでモニター２４において被写体を視認することができ、カメラボディ２における通常の撮影に支障が生じることは少ない。その一方で、仮に交換レンズ３を透過した光がカメラボディ２内の撮像装置２１やその近傍に集光されても、内部開口１０ａが全開されている場合に比較して透過光量は抑制されるので、当該集光による焼けつきや焦げつきを抑制することができ、撮像装置２１等の焼損が防止される。また、シャッターが半開した状態は全閉状態に比較してシャッター羽根９１が羽根ベース８や羽根押さえ９との重なり面積が大きくなるので、マウントアダプター１をカメラボディ２から取り外した状態のときに外力や風圧がシャッター羽根９１に加えられた場合でもシャッター羽根９１の変形や正常位置からの変動は少なく、シャッター羽根９１の損傷が少なくなる。すなわち、シャッターが全閉のときにはシャッター羽根９１が羽根ベース８や羽根押さえ９に対して筒軸方向に重なっている面積は図８（ａ）に斜線で示すように少ないため、外力や風圧によって変形されてシャッター羽根９１の先端部が羽根ベース８や羽根押さえ９の外側にはみ出るように変形されることがあるが、シャッターが半開のときには図８（ｂ）に斜線で示すように重なっている面積が大きくなるため、外力や風圧によってシャッター羽根９１の先端部が羽根ベース８や羽根押さえ９の外側にはみ出ることが防止され、シャッター羽根９１の損傷が防止されるとともに、シャッターの正常な動作が確保される。
【００３６】
ここで、シャッターを半開状態にする際の開口寸法を決定する際にはシャッターを全閉から全開する際の照度とシャッター羽根重なりのそれぞれの特性を計測する。照度はマウントアダプター１を透過してカメラボディ２内に入射される光の明るさであり、シャッター羽根重なりは図８に斜線で示した領域の面積である。前者はシャッター開口の開口寸法のほぼ二乗に比例する特性であり、後者は同じく開口寸法にほぼ比例する特性である。これら両者の特性からシャッターが全開のほぼ半分（１／２）程度開口している状態が好ましいと考えられ、このように半開時の開口寸法となるように設定することで、前記した焼損防止効果と破損防止効果の両方をそれぞれ得ることが可能になる。
【００３７】
以上の実施形態では、チャージモータ６３への通電制御によってシャッターの半開を制御するように構成しているが、手動操作によって半開に設定するように構成してもよい。図９（ａ）はその一例を示す光軸と直交する断面図であり、前記実施形態の羽根ベースを固定ベース８Ａと可動ベース８Ｂの２つの部材で構成し、可動ベース８Ｂを固定ベース８Ａに対して光軸回りに微小角度範囲で相対回動可能に構成している。その上で、羽根押さえ９の円周複数箇所にガイドピン９５を立設し、可動ベース８Ｂの内縁に設けた切欠８５を当該ガイドピン９５に係合させることによって可動ベース８Ｂの回動を可能にしている。この可動ベース８Ａの外周２箇所にはマウントアダプター１の外周面から突出される操作部８６を設けており、この操作部８６を手操作することによって任意の角度位置に回動できるように構成している。また、この可動ベース８Ｂには前記シャッター羽根９１の駆動ピン９３を係合させており、可動ベース８Ｂの回動によって複数のシャッター羽根９１を開閉動作させることが可能とされている。
【００３８】
この構成によれば、マウントアダプター１をカメラボディ２に装着した状態、あるいはカメラボディ２から取り外した状態のいずれの場合でも、図９（ｂ）に示すように、可動ベース８Ｂを手操作によって適宜に回動操作することにより、シャッター羽根９１の開閉状態を任意に操作でき、シャッターを所望の開放状態に設定することができる。したがって、シャッターを半開に設定しておくことにより、前記したようなカメラボディ２に装着したときの撮像装置等の焼損が防止でき、カメラボディ２から取り外したときのシャッター羽根９１の損傷が防止できる。また、このように構成することで可動ベース８Ｂの操作によりシャッターを任意の開口径に設定できるので、光束の狭い交換レンズをしようした際の必要最小限のシャッター開口状態が構成でき、シャッター全開から全閉までのシャッター羽根の羽根移動距離を低減でき、高速のシャッターが実現できる。また、シャッターをマニュアル絞りとして利用することも可能となり、例えばピンホール撮影に利用することも可能となる。
【００３９】
したがって、本発明のマウントアダプター１を用いれば、ＬＫマウントの交換レンズ３をＬＱマウントのカメラボディ２に装着してカメラシステムを構築した上で、当該交換レンズ３とカメラボディ２を用いて撮影を行うことができるのは勿論のこと、撮像装置２１での撮影時に所謂電子シャッターでの撮影しかできないカメラボディの場合でもマウントアダプター１に設けたシャッター機構１１を利用しての撮影が可能になり、撮影した被写体像が歪曲する等の不具合を防止することができる。また、交換レンズ３を装着しない場合に、マウントアダプター１をカメラボディ２に装着しておき、その上でメインスイッチ２２をＯＦＦすることでシャッター機構１１を半開状態に設定でき、当該カメラボディにおける焼損が防止できる。さらに、その後にマウントアダプター１をカメラボディ２から取り外したときでもシャッター機構１１の半開状態が保持できるので、シャッター羽根部の損傷を未然に防止することができる。これにより、マウントアダプター１ないしはカメラボディ２における事故を防止して信頼性の高いカメラシステムとして構築することができる。
【００４０】
また、本発明のカメラシステムにおいては、カメラボディの電源ＯＮ時にシャッター制御できるように構成し、静止画像の撮影以外、例えばスルー画像表示時においてはシャッターを半開に制御するように構成してもよい。さらに、本発明のカメラシステムでは、マウントアダプターを介して交換レンズとカメラボディを電気通信できるように構成し、交換レンズの着脱を検出してシャッターを半開に制御するようにしてもよい。
【産業上の利用可能性】
【００４１】
本発明は撮像装置を備えるレンズ交換式デジタルカメラに採用でき、特にカメラボディに設けられたレンズマウントと異なるレンズマウントを有する交換レンズを用いて撮影を行うためのマウントアダプターおよびカメラシステムに採用して有効である。
【符号の説明】
【００４２】
１  マウントアダプター
２  カメラボディ
３  交換レンズ
４  シャッター羽根部
５  シャッター駆動部
６  親板
７  羽根駆動リング
８  羽根ベース
９  羽根押さえ
１０  筒体
１０ａ  内部開口
１１  シャッター機構
６１  チャージリング
６３  チャージモータ
６５  カムギア
６６  係止爪板
６７  ソレノイドプランジャ
６８  第１検知スイッチ
６９  第２検知スイッチ
７１  係止軸
９１  シャッター羽根
【図１】
2014052605.tif 000003
【図２】
2014052605.tif 000004
【図３】
2014052605.tif 000005
【図４Ａ】
2014052605.tif 000006
【図４Ｂ】
2014052605.tif 000007
【図５Ａ】
2014052605.tif 000008
【図５Ｂ】
2014052605.tif 000009
【図５Ｃ】
2014052605.tif 000010
【図６】
2014052605.tif 000011
【図７Ａ】
2014052605.tif 000012
【図７Ｂ】
2014052605.tif 000013
【図７Ｃ】
2014052605.tif 000014
【図８】
2014052605.tif 000015
【図９】
2014052605.tif 000016